(57)【特許請求の範囲】
【請求項１】
外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも検出手段が、シュートと補給路の接続位置に接触式のスイッチをシュートの脱着で切入されるように取り付け、シュートが外れた際に前記スイッチが作動してシュートの外れた状態を検出できるようにしたものであることを特徴とする、メダル補給装置。
【請求項２】
外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも検出手段が、シュートと補給路の接続位置に投光器と同投光器の光を受光する受光器をシュート側に対向して取り付け、投光器の光が受光器で受光した場合にシュートの外れた状態を検出できるようにしたものであることを特徴とする、メダル補給装置。
【請求項３】
外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも補給路を磁性材料で構成し、検出手段が、シュートと補給路の接続位置に磁気センサーをシュート側に取り付け、磁気センサーが磁気を感知しない場合にシュートの外れた状態を検出できるようにしたものであることを特徴とする、メダル補給装置。
【請求項４】
外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも補給路を導電性材料で構成し、検出手段が、シュートと補給路の接続位置に一対の電極をシュートの内面側に突出するように対向して取り付け、電極間が非導通となった場合にシュートの外れた状態を検出できるようにしたものであることを特徴とする、メダル補給装置。
【請求項５】
外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも補給路とシュートを導電性材料で構成し、検出手段が、シュートと補給路に電線をそれぞれ接続し、電線間が非導通となった場合にシュートの外れた状態を検出できるようにしたものであることを特徴とする、メダル補給装置。
【請求項６】
外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも検出手段がシュートの外れた状態を検出するとメダルの補給を停止する制御をメダル補給制御手段に備えた、請求項１〜５いずれか記載のメダル補給装置。
【発明の詳細な説明】
【技術分野】
【０００１】
本発明は、遊技に使用されるメダルをメダル遊技機又はメダル貸し機に補給するメダル補給装置に関する。
【背景技術】
【０００２】
従来のメダル補給装置は、島を構成する複数のメダル遊技機及びメダル貸し機の上方位置に長尺のメダル供給ラインを配置し、メダル供給ラインのメダルを取り込む取込装置をメダル遊技機及びメダル貸し機の直上位置に取り付け、各取込装置に補給路を接続してメダル遊技機及びメダル貸し機の背面位置に垂下し、補給路の終端部にメダルをメダル遊技機内及びメダル貸し機内のメダルホッパーへ取り込むエルボ形のシュートを脱着可能に接続した構造が一般的で、機器の入れ替えやメダル詰まりの解消時には補給路からシュートを取り外して対処している。
【０００３】
ところで、機器の入れ替えやメダル詰まりの解消後にシュートを接続し忘れることがあり、その場合は補給路からメダルが落下してメダルホッパーへ補給されなくなり、メダル不足で機器が停止したり、落下したメダルが島内配線と接触してショートする危険があった。
【特許文献１】特開２００４−２３６７８３号公報
【発明の開示】
【発明が解決しようとする課題】
【０００４】
本発明が解決しようとする課題は、従来のこれらの問題点を解消し、機器の入れ替えやメダル詰まりの解消時において、補給路から取り外したシュートの接続忘れを防止できるメダル補給装置を提供することにある。
【課題を解決するための手段】
【０００５】
かかる課題を解決した本発明の構成は、
１）  外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも検出手段が、シュートと補給路の接続位置に接触式のスイッチをシュートの脱着で切入されるように取り付け、シュートが外れた際に前記スイッチが作動してシュートの外れた状態を検出できるようにしたものであることを特徴とする、メダル補給装置
２）  外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも検出手段が、シュートと補給路の接続位置に投光器と同投光器の光を受光する受光器をシュート側に対向して取り付け、投光器の光が受光器で受光した場合にシュートの外れた状態を検出できるようにしたものであることを特徴とする、メダル補給装置
３）  外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも補給路を磁性材料で構成し、検出手段が、シュートと補給路の接続位置に磁気センサーをシュート側に取り付け、磁気センサーが磁気を感知しない場合にシュートの外れた状態を検出できるようにしたものであることを特徴とする、メダル補給装置
４）  外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも補給路を導電性材料で構成し、検出手段が、シュートと補給路の接続位置に一対の電極をシュートの内面側に突出するように対向して取り付け、電極間が非導通となった場合にシュートの外れた状態を検出できるようにしたものであることを特徴とする、メダル補給装置
５）  外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも補給路とシュートを導電性材料で構成し、検出手段が、シュートと補給路に電線をそれぞれ接続し、電線間が非導通となった場合にシュートの外れた状態を検出できるようにしたものであることを特徴とする、メダル補給装置
６）  外部のメダル供給ラインから取込装置で取り込まれたメダルをメダル遊技機又はメダル貸し機に補給する補給路を設け、メダル遊技機又はメダル貸し機の背面に開口部を設け、同開口部を介してメダルを機内のメダルホッパーへ取り込むエルボ形状のシュートをメダル遊技機又はメダル貸し機の背面に固着し、同補給路の終端部にシュートを脱着可能に嵌入して接続し、メダルホッパー内のメダルが所定量以下になるとメダル供給ラインのメダルを補給路及びシュートを通じて補給するように制御するメダル補給制御手段を設けたメダル補給装置において、前記シュートの脱着の状態を検出する検出手段を設け、同検出手段がシュートの外れた状態を検出すると警報する警報手段を設け、しかも検出手段がシュートの外れた状態を検出するとメダルの補給を停止する制御をメダル補給制御手段に備えた、前記１）〜５）いずれか記載のメダル補給装置
にある。
【発明の効果】
【０００６】
本発明によれば、メダル補給制御手段がシュートの外れている状態でメダルを補給しようとすると、検出手段がシュートの外れた状態を検出して警報手段が警報する。管理者はその警報でシュートの接続忘れに気づいて迅速に対処でき、メダルの落下によるトラブルを未然に防止できるようになる。
【発明を実施するための最良の形態】
【０００７】
本発明のシュートの脱着の状態を検出するタイミングとしては、メダル供給ラインのメダルを補給路へ取り込む取込装置が作動した時点、メダルホッパーに備えたタッチセンサーがメダルの所定量以下を検出した時点、メダル遊技機及びメダル貸し機が起動した時点などがあり、取込装置が作動した時点で検出する場合は、シュートの外れた状態を検出すると取込装置を直に停止させる制御を検出手段に設ける。以下、本発明の各実施例を図面に基づいて具体的に説明する。
【実施例１】
【０００８】
図１〜５に示す実施例１は、検出手段として接触式のスイッチを使用した例である。図１は実施例１のメダル遊技機の一部切欠き斜視図、図２は実施例１のメダル貸し機の一部切欠き斜視図、図３は実施例１の検出手段の説明図、図４は実施例１のメダル補給制御部の説明図、図５は実施例１のフローである。
【０００９】
図中、１０はメダル遊技機、１０ａは開口部、１１はメダル投入口、１２はコントローラ、１３はメダルホッパー、１４はタッチセンサー、１５は受皿、１６は排送路、２０はメダル貸し機、２０ａは開口部、２１は貨幣投入口、２２はコントローラ、２３はメダルホッパー、２４はタッチセンサー、２５は払出口、３０はメダル供給ライン、３１はメダル回収ライン、３２は取込装置、３３は補給路、３４はシュート、３４ａは取付片、３５はスイッチ、４０はメダル補給制御部、４０ａはＣＰＵ、４０ｂはＲＡＭ、４０ｃはＲＯＭ、４０ｄはインターフェイス、４１は信号線、４２は警報装置、ｍはメダルである。
【００１０】
メダル遊技機１０は、図１に示すようにメダルｍを投入するメダル投入口１１と、投入されたメダルｍによるゲームの進行及びゲーム結果に応じた枚数のメダルｍの払い出し制御をするコントローラ１２と、内部に多数枚のメダルｍを払い出し時まで貯溜するメダルホッパー１３と、メダルホッパー１３内のメダルｍの所定量以下を検出するタッチセンサー１４と、メダルホッパー１３から払い出したメダルｍを収容する受皿１５と、メダルホッパー１３からの余剰のメダルｍをメダル回収ライン３１へ排出する排送路１６と、メダル供給ライン３０から取込装置３２で取り込まれたメダルｍをメダルホッパー１３へ送り込む補給路３３とで構成されている。
【００１１】
メダル貸し機２０は、図２に示すように貨幣を投入する貨幣投入口２１と、投入された金額に応じた枚数のメダルｍの払い出し制御をするコントローラ２２と、内部に多数枚のメダルｍを払い出し時まで貯溜するメダルホッパー２３と、メダルホッパー２３内のメダルｍの所定量以下を検出するタッチセンサー２４と、メダルホッパー２３から払い出したメダルｍを収容する払出口２５と、メダル供給ライン３０から取込装置３２で取り込まれたメダルｍをメダルホッパー２３へ送り込む補給路３３とで構成されている。
【００１２】
補給路３３の終端部には、図３に示すようにエルボ形のシュート３４を脱着可能に接続し、メダル遊技機１０及びメダル貸し機２０の背面に有する開口部１０ａ，２０ａを通じてメダルｍをメダルホッパー１３，２３へ補給できるようにしている。シュート３４には接触式のスイッチ３５をその先端が内面側に突出するように取り付け、シュート３４の脱着で切入されるようにしている。シュート３４はその両側に取付片３４ａを形成し、メダル遊技機１０及びメダル貸し機２０の外装にネジ等で固定している。
【００１３】
メダル補給制御部４０は、図４に示すようにＣＰＵ４０ａ・ＲＡＭ４０ｂ・ＲＯＭ４０ｃ・インターフェイス４０ｄで構成され、警報ランプと警報音を発音するスピーカーで構成した警報装置４２を備え、タッチセンサー１４，２４・取込装置３２・スイッチ３５と接続している。ＲＯＭ４０ｃ内のプログラムは、タッチセンサー１４，２４からメダルｍが離れると取込装置３２を作動させ、タッチセンサー１４，２４にメダルｍが接触するまで取込装置３２の作動を継続するように制御し、シュート３４の脱着の状態の検出はタッチセンサー１４，２４からメダルｍが離れた時点で行うようにし、スイッチ３５が押された状態ではシュート３４の接続済みを認識し、スイッチ３５が押されていない状態ではシュート３４が外れた状態を認識するように構成している。
【００１４】
実施例１では、図５に示すようにメダルホッパー１３，２３のメダルｍがタッチセンサー１４，２４から離れると、メダル補給制御部４０は取込装置３２を作動させてメダル供給ライン３０のメダルｍを補給路３３に取り込み、シュート３４を通じてメダルホッパー１３，２３に補給し、メダルｍが積み上がってタッチセンサー１４，２４に接触すると取込装置３２を停止させる。この場合、シュート３４は補給路３３に接続済みであるから、スイッチ３５が補給路３３の外面と接触して押された状態となっており、メダル補給制御部４０はシュート３４の接続済みを認識してメダルｍが補給される。
【００１５】
機器の入れ替えやメダルｍの詰まり解消のために一旦シュート３４を取り外し、作業終了後に接続を忘れた場合は、スイッチ３５が補給路３３から離れて押されていない状態となる。メダル補給制御部４０はメダルｍがタッチセンサー１４，２４から離れた時点でシュート３４の外れた状態を検出し、取込装置３２を作動させずに警報装置４２を作動させる。管理者はその警報でシュート３４の接続忘れに気づき、迅速に対処できる。シュート３４を接続するとスイッチ３５が入り、取込装置３２が作動してメダルｍが補給される。このように、メダルｍの不足で機器が停止したり、落下したメダルｍが島内配線と接触してショートする危険を防止できる。
【実施例２】
【００１６】
図６に示す実施例２は、検出手段として投光器とその光を受光する受光器を使用した例である。図６は実施例２の検出手段の説明図である。図中、３６ａは投光器、３６ｂは受光器である。実施例２では、図６に示すようにシュート３４の内面に投光器３６ａと受光器３６ｂを対向して取り付け、メダル補給制御部４０は受光器３６ｂが投光器３６ａの光を受光した場合にシュート３４が外れた状態を認識するようにしている。したがって、シュート３４が接続されていると投光器３６ａの光が遮光されてメダルｍが補給され、シュート３４が外れていると受光器３６ｂが受光して警報される。その他、符号、構成、作用効果は実施例１と同じである。
【実施例３】
【００１７】
図７に示す実施例３は、補給路を磁性材料で構成し、検出手段として磁気センサーを使用した例である。図７は実施例３の検出手段の説明図である。図中、３７は磁気センサーである。実施例３では、図７に示すように補給路３３を磁性材料で構成し、シュート３４の内面に磁気センサー３７を取り付け、メダル補給制御部４０は磁気センサー３７が磁気を感知しない場合にシュート３４が外れた状態を認識するようにしている。したがって、シュート３４が接続されていると補給路３３の磁気を感知してメダルｍが補給され、シュート３４が外れていると磁気を感知できない状態となって警報される。その他、符号、構成、作用効果は実施例１と同じである。
【実施例４】
【００１８】
図８に示す実施例４は、補給路を導電性材料で構成し、検出手段として一対の電極を使用した例である。図８は実施例４の検出手段の説明図である。図中、３８は電極である。実施例４では、図８に示すように補給路３３を導電性材料で構成し、シュート３４の内面に一対の電極３８を内面側に突出するように対向して取り付け、メダル補給制御部４０は電極３８間が非導通の場合にシュート３４が外れた状態を認識するようにしている。したがって、シュート３４が接続されて各電極３８と接触すると電極３８間が導通してメダルｍが補給され、シュート３４が外れていると電極３８間が非導通となって警報される。その他、符号、構成、作用効果は実施例１と同じである。
【実施例５】
【００１９】
図９に示す実施例５は、補給路とシュートを導電性材料で構成し、検出手段としてシュートと補給路に電線をそれぞれ接続した例である。図９は実施例５の検出手段の説明図である。実施例５では、図９に示すように補給路３３とシュート３４を導電性材料で構成し、シュート３４と補給路３３に電線として信号線４１を直接接続し、メダル補給制御部４０は信号線４１間が非導通の場合にシュート３４が外れた状態を認識するようにしている。したがって、シュート３４が接続されていると信号線４１間が導通してメダルｍが補給され、シュート３４が外れていると信号線４１間が非導通となって警報される。その他、符号、構成、作用効果は実施例１と同じである。
【産業上の利用可能性】
【００２０】
本発明のメダル補給装置はスロットル台の他、パチンコ台にも利用できる。
【図面の簡単な説明】
【００２１】
【図１】実施例１のメダル遊技機の一部切欠き斜視図である。
【図２】実施例１のメダル貸し機の一部切欠き斜視図である。
【図３】実施例１の検出手段の説明図である。
【図４】実施例１のメダル補給制御部の説明図である。
【図５】実施例１のフローである。
【図６】実施例２の検出手段の説明図である。
【図７】実施例３の検出手段の説明図である。
【図８】実施例４の検出手段の説明図である。
【図９】実施例５の検出手段の説明図である。
【符号の説明】
【００２２】
１０  メダル遊技機
１０ａ  開口部
１１  メダル投入口
１２  コントローラ
１３  メダルホッパー
１４  タッチセンサー
１５  受皿
１６  排送路
２０  メダル貸し機
２０ａ  開口部
２１  貨幣投入口
２２  コントローラ
２３  メダルホッパー
２４  タッチセンサー
２５  払出口
３０  メダル供給ライン
３１  メダル回収ライン
３２  取込装置
３３  補給路
３４  シュート
３４ａ  取付片
３５  スイッチ
３６ａ  投光器
３６ｂ  受光器
３７  磁気センサー
３８  電極
４０  メダル補給制御部
４０ａ  ＣＰＵ
４０ｂ  ＲＡＭ
４０ｃ  ＲＯＭ
４０ｄ  インターフェイス
４１  信号線
４２  警報装置
ｍ  メダル
【図１】
0004819021.tif 000002
【図２】
0004819021.tif 000003
【図３】
0004819021.tif 000004
【図４】
0004819021.tif 000005
【図５】
0004819021.tif 000006
【図６】
0004819021.tif 000007
【図７】
0004819021.tif 000008
【図８】
0004819021.tif 000009
【図９】
0004819021.tif 000010